(57)【要約】【課題】通常は可愛いよだれかけとして利用でき、誰でも容易に可愛いマスコットに折り畳むことができ、ハンドタオルとしても利用できるよだれかけを提供する。【解決手段】タオル地の表中心部に縦方向の長さが全体の１／３、横方向の長さが全体の１／４のエリアを定め、このエリアに動物の耳、鼻、口、手足或いはロボットの部品等に相当する部品形状を縫い付けて固定し、適宜刺繍を施し、前記エリアとこれら部品並びに前記適宜の刺繍とで前記エリアを前面とする人形模様を構成し、さらに、前記タオル地の裏面で上端より１／６長さ付近の両端に、前記タオル地幅より少し長めの長さのゴム紐の両端を夫々固定して成ることを特徴とするよだれかけ。【選択図】      図1
0003114953.tif 000002
【実用新案登録請求の範囲】
【請求項１】
タオル地の表中心部に縦方向の長さが全体の１／３、横方向の長さが全体の１／４のエリアを定め、このエリアに動物の耳、鼻、口、手足或いはロボットの部品等に相当する部品形状を縫い付けて固定し、適宜刺繍を施し、前記エリアとこれら部品並びに前記適宜の刺繍とで前記エリアを前面とする人形模様を構成し、
さらに、前記タオル地の裏面で上端より１／６長さ付近の両端に、前記タオル地幅より少し長めの長さのゴム紐の両端を夫々固定して成ることを特徴とするよだれかけ。
【請求項２】
前記タオル地は、オーガニックコットン製とされることを特徴とする請求項１記載のよだれかけ。
【請求項３】
前記部品には、その内側を前記エリア内に固定され、その外方を前記エリアからはみ出して形成される立体的部品が含まれることを特徴とする請求項１又は２記載のよだれかけ。
【請求項４】
前記タオル地を裏面にして下端次いで上端の順で３枚折りし、次いで両横端を中心に折り、さらにその両端を中心に折って前記ゴム紐を背中にまとめ、その後、前記ゴム紐を前記背中を中心として全体に２回巻回しして、前面に可愛い人形模様を施したマスコットに変身させることを特徴とする請求項１〜３のいずれか１つに記載のよだれかけ。
【請求項５】
前記ゴム紐の両端を、「し」の字、又は「つ」の字に曲げ、曲げの部分を２重に添えて、前記タオル地の両端に夫々縫い付けたことを特徴とする請求項１〜４のいずれか１つに記載のよだれかけ。
【考案の詳細な説明】
【技術分野】
【０００１】
本考案は、通常は折り畳んでマスコットとして持ち歩くことができ、レストラン等でお食事のとき赤ちゃんのよだれかけとして使用でき、母子共に楽しく利用できるようにした赤ちゃん用のよだれかけに関する。
【背景技術】
【０００２】
従来の赤ちゃん用のよだれかけの例としては、特許公開平１０−１３０９０８号公報（さらさらよだれかけ）、特許公開平１０−３３１００５号公報（よだれかけ）、特許公開２００３−１４７６０４号公報（よだれかけ）等の例がある。
【０００３】
特許公開平１０−１３０９０８号公報のものは、布とポリエチレンで吸収ポリマーを挟み込んで作られた使い捨てのよだれかけである。特許公開平１０−３３１００５号公報のものは、表面に開口可能な袋部を設け、この袋部にティッシュを収納するというものである。さらに、特許公開２００３−１４７６０４号公報のものは、本体下方の両端の夫々に手首に掛けるための紐を設けるというものである。このように、従来のよだれかけは、よだれに伴う汚れを如何に手際よく安価に処理するかの機能面の追求ばかりに目が向けられていた。
【０００４】
一方で、本考案者等は、特許公開２００１−３４０２５４号公報（マスコット状ハンドタオル）に示される商品をその出願日前より発売していた。これは、ハンドタオルの要所にアップリケを施し、これを折り畳みかつ巻き込んで、その状態を保つべく紐で結び、その図３に示すように可愛いマスコットにすることができるというものである。
【０００５】
しかしながら、従来のマスコット変身タイプのハンドタオルは、可愛いマスコットとして持ち歩くことができ、かつ紐を解いてハンドタオルとして利用できるが、赤ちゃん用としては工夫されていないので、よだれかけとしては使用できなかった。また、全体をまるめて縛り上げるために紐を用いていたので、これを蝶結びするのが面倒であった。
【０００６】
さらに、タオル地等の布類をマスコットに仕上げる工夫としては、登録実用新案第３０３３３１１号公報（保温用掛け布及びタオル）、特開昭６１−１０６１８６号公報（タオルおもちゃの製造方法）の例がある。
【０００７】
登録実用新案第３０３３３１１号公報の保温用掛け布及びタオルは、その図２〜図６に示す手順で人形を付けた布を折り畳み、かつくるんで人形を表に出す等して本体を収納できるようにしたものである。マスコットの見本とはなるが、よだれかけには適用できない。
【０００８】
特開昭６１−１０６１８６号公報のタオルおもちゃは、マスコットハンドタオルの原形ともいえるもので、長方形タオルの一端中央部に人形模様模型を施し、それを裏返して上下から一対ののり巻き状に巻き込み、それを前記模様・模型が表面にでるよう３分折りし、全体胴を紐で縛って成る。マスコットタオルの原形であり、大いに参考となるが、紐で縛る点と、まとめて折るという折り畳み方に若干の問題点が残る。その図５に示すように、腰の弱いタオルをうまく巻きつけるのは難しく、巻いたものを折り畳むと嵩張って全体が不安定となる。
【特許文献１】特許公開平１０−１３０９０８号公報、第１頁、図１
【特許文献２】特許公開平１０−３３１００５号公報、第１頁、図１
【特許文献３】特許公開２００３−１４７６０４号公報、第１頁、図１
【特許文献４】特許公開２００１−３４０２５４号公報、第１頁、図３
【特許文献５】登録実用新案第３０３３３１１号公報、第１頁、図２
【特許文献６】特開昭６１−１０６１８６号公報、第１頁、第２図
【考案の開示】
【考案が解決しようとする課題】
【０００９】
本考案者は、従来より提案されているマスコット変身型のハンドタオルの改良に係り、レストラン等での食事中、赤ちゃんの食べこぼしに手をやいている母親の姿を見て創案されたものである。
【００１０】
即ち、本考案は、マスコット又はよだれかけとしての相互の変身を容易化し、通常は容易に丸めてカバンに入れておくことができ、行楽地やファミリーレストラン等では、これを容易に解いてハンドタオルは勿論のこと赤ちゃん用のよだれかけとして利用でき、誰にでも容易に折り畳んでマスコットにすることができる画期的よだれかけを提供することを目的とする。
【課題を解決するための手段】
【００１１】
上記課題を解決することができる本考案のよだれかけは、タオル地の表中心部に縦方向の長さが全体の１／３、横方向の長さが全体の１／４のエリアを定め、このエリアに動物の耳、鼻、口、手足或いはロボットの部品等に相当する部品形状を縫い付けて固定し、適宜刺繍を施し、前記エリアとこれら部品並びに前記適宜の刺繍とで前記エリアを前面とする人形模様を構成し、さらに、前記タオル地の裏面で上端より１／６長さ付近の両端に、前記タオル地幅より少し長めの長さのゴム紐の両端を夫々固定して成ることを特徴とする。
【００１２】
前記タオル地を裏面にして下端次いで上端の順で３枚折りし、次いで両横端を中心に折り、さらにその両端を中心に折って前記ゴム紐を背中にまとめ、その後、前記ゴム紐を前記背中を中心として全体に２回巻回しして、前面に可愛い人形模様を施したマスコットに変身させることができる。丸めるのでなく、折り畳むだけであるので、誰でも容易にきちんとマスコットを作ることができる。
【００１３】
本考案のよだれかけは、赤ちゃんを対象とするものであることから、  前記タオル地としては、コットン製等とすることができるが、オーガニックコットン製とするのがより好ましい。
【００１４】
前記部品には、その内側を前記エリア内に固定し、その外方を前記エリアからはみ出して形成するものを含め、これにより人形模様を立体的なものとすることができる。子供は立体的な形にとても敏感で興味を持つ。人形模様を立体化し、よだれかけに展開した状態で、又はマスコットにまとめた状態で、共に可愛く仕上げることができる。
【００１５】
前記ゴム紐の両端を、「し」の字、又は「つ」の字に曲げ、曲げの部分を２重に添えて、前記タオル地の両端に夫々縫い付けて仕上げることができる。しの字に曲げるので鋭利部が発生せず、丈夫に固定できる。
【００１６】
よだれかけに展開した状態から、裏返し、上下に３枚折りし、左右に２回折りしてゴム紐を２回回すことでマスコット化できるので、容易に展開又はまとめることができ、場に応じて便利に利用できる。
【考案の効果】
【００１７】
本考案のよだれかけは、通常は可愛いマスコットとしてカバンの中などに入れておき、行楽地やファミリーレストラン等でのお食事のとき、ゴム紐を外して食べこぼしエプロン等よだれかけに変身させ、ゴム紐を赤ちゃんの首に掛けてあげることにより、可愛いよだれかけとして利用できる。携帯するのに嵩張らない。タオル地なのでハンカチとしても利用でき、ハンドタオルとして口の回りをぬぐってあげることもできる。
【００１８】
人形模様に立体形状を含めることにより、子供の興味を引くことができ、喜ばせることができる。人形模様を見せて、赤ちゃんをあやしてあげることもできる。
【００１９】
人形模様の部品はタオル地に縫い付けてあるので洗濯可能であり、繰り返し利用できる。洗濯後の折り畳みは、裏返して上下に３分折りし、次いでそれを左右に２回中折りし、中心に出てくるゴム紐を２回回しするだけであるので、容易にマスコットに変身させることができる。
【考案を実施するための最良の形態】
【００２０】
以下、添付図面を参照して本考案を実施するための最適の形態を説明する。図１は、本考案の一実施形態に係るよだれかけを展開した状態で示す正面図である。図２〜図６は、その折り畳み方を示し、図７は折り畳みマスコット化した状態での正面図を示す。
【００２１】
図１に示すように、本考案のよだれかけ１Ａは、オーガニックコットン製のタオル地２の表中心部で、縦方向の長さが全体の１／３、横方向の長さが全体の１／４のエリア３にウサギの人形模様が施されている。本例のタオル地の寸法は、縦横共に約２０ｃｍである。色はピンクで、回りには小さなステッチが施してある。オーガニックコットンは、人工化学合成肥料、殺虫剤、除草剤等の農薬を一切使用せず栽培した綿であり、天然の綿花の優しい風合いにより赤ちゃんにぴったりの素材である。
【００２２】
形状は必ずしも正方形に限定されず、ハート形等縁を形取ることもできる。エリア３を破線で示すが、これは架空の線であり、実線としては示されない。
【００２３】
エリア３の中には、ウサギの耳に相当する一対の部品４−１、４−２と、手に相当する一対の部品４−３、４−４と、足に相当する部品４−５、４−６とが適切な位置に配置され、夫々その最内側が縫い付けられている。各部品４−１〜４−６は、ポリエステル製のフェルト生地を打抜いて作ることができる。各一対の部品４−１、４−２と、４−３、４−４と、４−５、４−６とは、夫々形状が異なるが、対象的であるので、同一部品を裏返して対象的に使用できる。これら部品４−１、４−２、４−３、４−４、４−５、４−６はいずれも先端がエリア３外方に突出されている。即ち立体的である。
【００２４】
一対の目部５、一対のほっぺ部６、鼻部７は刺繍による。花柄８、９、１０も刺繍による。耳、手、足の部品４−１〜４−６の色はいずれも白色である。目部５は黒丸の外に白輪で示し、黒丸部分は手触りによって突起を感ずるほどに厚く縫ってある。鼻部７は黒で、目部５の黒丸に近く厚めに縫っている。ほっぺ部６は濃いピンク、花柄８は濃いピンクの回りに白、花柄９は青色の回りに黄色の水玉、花柄１０は中心の濃いピンクの玉の回りに５個の濃いピンクの水玉模様で可愛く仕上げている。
【００２５】
ゴム紐１１は、タオル地２の幅（２０ｃｍ）より少し長めの２５ｃｍ位の長さのものを用いる。ゴム紐１１の両端を上端から１／６の位置Ｐで外側から内側に入れて「つ」の字に小さく曲げ、「つ」の字の曲げの部分を内側にし、「つ」の字の中間部分を細くて丈夫な糸を用いてミシンステッチを３度以上かけて強固に固定している。固定の位置は、図２で示すようにタオル地２の裏で、上端より１／６の高さの位置Ｐ辺りとする。このようにして、ゴム紐１１でタオル地２の本体を吊り上げることができる形とする。ゴム紐１１は、柔軟で丈夫な天然ゴムに布を巻いた形のものを用いる。伸び率は１００〜２００％のものが好ましい。「つ」の字でなく、上方から回して「し」の字の形としても良い。吊るときのためを考えれば「し」の字の方が強く固定でき、巻き付め固定するときのためを考えれば「つ」の字の方が強い。両者の中間をとり、斜め「し」の字でも良い。
【００２６】
ゴム紐１１を取り付けることにより、タオル地２とゴム紐１１との間に最大で直径３０ｃｍ位までの球を通すことができるので、赤ちゃんの頭を軽く通して容易に首に掛けてあげることができる。伸び率大のものとし、丈夫に縫製しているので、途中で切れて赤ちゃんを泣かせてしまうようなことはない。
【００２７】
図２〜図７を用いて、よだれかけ１Ａの折り畳み方を説明する。まず、図２のように裏返し、下端の１／３量を下端の縁２Ｄが上方から略１／３位置に相当する線Ｃ上に重なるよう折る。凡そで良い。次に、図３に示すように上端縁２Ｕを下端縁に向けて折り、３つ折りとする。ここまでに約２秒必要である。
【００２８】
次に、図４に示すように、左右の端部を中心に向けて折り、続けて図５に示すようにその左右の端部をさらに中心に向けて折り込む。多少のずれは構わない。この作業にも約２〜３秒必要である。
【００２９】
最後に、図６に示すように、背中部分に出たゴム紐１１を、どちらの付根でもよいから（本例では図において右側の付根）、どちらかの方向（本例では反時計回り）に２回巻き回し、胴の中心辺りでまとめる。そして裏返して表側から見ると、図７に示したようにマスコットとなる。ゴム紐１１が２本現われるので、この２本のゴム紐を交差させないようきれいにまとめさえすれば、誰が折っても、多少ずれがあっても綺麗に仕上げることができる。以上により、図７に示すようなマスコットが出来上がる。合計１０〜１２秒で十分である。以上の折り方の手順さえしっかり知れば、初めての人でも容易にきちんとできる。
【００３０】
さて、今から赤ちゃんを連れて食事に出かけるとする。図７に示すマスコットは、縦横寸法５ｃｍ×７ｃｍ、厚み２５ｍｍ位の大きさであるので、ポケットに、ハンドバックに、買物カゴの中に、或いはカバンの中に容易に入る。食卓につくと、お母さんは徐にマスコット１Ａをカバンから取出し、ゴム紐１１を解いて図１の形に展開する。そして、ゴム紐を広げて赤ちゃんの頭から通し、首に引掛けてあげる。これに要する手間は約５秒間である。食事までに時間がかかり、赤ちゃんがじっとしていない場合には、図１の人形模様を見せてあやすこともできよう。手足が立体的となっているので、赤ちゃんにとっては興味深く、とても喜ぶ。
【００３１】
赤ちゃんによだれかけを掛けてあげるには２通りの方法がある。１つはマスコットを表面に出したままとするやり方である。この場合、マスコット面が汚れる。もう１つは、マスコット面を裏側にする方法である。この場合はマスコット面が汚れないので、食事終了後、裏面が汚れていても通常通りに折り畳むことができる。
【００３２】
食事が終ると、汚れた場合には、図１のまま表を中に折り畳んでゴム紐１１で閉じ、持って帰って洗濯すれば良い。汚れていなかったら図２以下に示す要領で畳み閉じ、再利用できる。オーガニックコットン製であるので、洗濯には塩素系漂白剤や蛍光増白剤入りの洗剤は使用しない方が良い。洗濯により、繰り返しの使用が可能である。不使用のときは棚に飾っておくのも良く、赤ちゃんあやし用のマスコット等としても利用できる。学生や主婦にとっては、ハンドタオルとしての利用も重宝である。
【００３３】
図８は、図７に示したウサギの人形模様に変えてネコとしたものである。耳に相当する部品４−７、４−８は新たな部品が必要であるが、手足に相当する部品４−３、４−４、４−５、４−６は図７のものと共用できる。足に相当する部品４−６、４−７は、図７のものに対し取付け方を逆転したものである。このようにして多数要する部品点数を共用によって減らすことができる。目５、鼻７の作り方はウサギの場合と同様である。ヒゲ１２は刺繍による。部品の縫い付けによることもできるが若干手間である。鈴の図柄１３や音符記号１４も刺繍による。鈴１３についてはこの形の布を作り、その上端のみを固定しても良い。実際に小さな鈴を取り付けると、赤ちゃんが口にして食べてしまう可能性があるので、これはしない。以上により、立体的で可愛いネコのマスコットが出来上がる。
【００３４】
図９は、人形模様をカバとしたものである。顔の部品１５は不織布を切り抜いて作ってある。これに図５等の刺繍をする。手足の部品４−９、４−１０、４−１１、４−１２については、図７、図８のものを共用できないので別途に作る。いずれも同一形状で良いので１つのものを向きを変えて使用することもできる。小鳥の図柄１６については刺繍でも良く、布の縫い付けでも良い。以上により、立体的で可愛いカバのマスコットが出来上がる。
【００３５】
図１０は、人形模様をヒツジとしたものである。足に相当する部品４−１３、４−１４を固定した後、布で作ったヒツジの本体１６を固定し、その上からツノに相当する部品４−１５、４−１６を先端側を突出させて設け、頭に相当する部品４−１７を設けて、これに目部等を刺繍して作ることができる。鈴１７は刺繍して作る。以上により、立体的で可愛いヒツジのマスコットが出来上がる。
【００３６】
以上、動物をアイテムとした人形模様を示したが、人形模様としては、この他、植物、ロボット、その他のものを採用することもできる。いずれの場合も赤ちゃんを対象とするので、可愛さと、微笑みさが必要である。
【００３７】
本考案は、上記実施形態に限定されるものではなく、本考案の要旨を逸脱しない範囲で種々変形し、各種態様で実施できる。
【産業上の利用可能性】
【００３８】
本考案のよだれかけは、赤ちゃん用のよだれかけとして考案されたものであるが、ハンドタオルとしての利用も可能であり、単なるマスコットとしても利用可能である。
【図面の簡単な説明】
【００３９】
【図１】本考案の一実施形態に係るよだれかけの平面図である。
【図２】図１に示すよだれかけを裏返し、下端縁を中心線に重ねて折曲げた状態を示す折り畳みの第１段階を示す説明図である。
【図３】図２で示した状態に次いで、上端縁を下端縁に向けて折り畳んだ状態を示す折り畳みの第２段階を示す説明図である。
【図４】図３で示した状態に次いで左右の端部を中心に向けて折り畳んだ第３段階の折り畳み説明図である。
【図５】図４に次いで更に両端縁をさらに内側中心に向けて折り畳んだ第４段階の折り畳み説明図である。
【図６】図５に次ぐ最終段階の折り畳み説明図で、背中部分に出たゴム紐を胴に２回回ししてまとめ上げる説明図である。
【図７】折り畳みまとめて仕上がったウサギのマスコットの正面図である。
【図８】ネコのマスコットの正面図である。
【図９】カバのマスコットの正面図である。
【図１０】ヒツジのマスコットの正面図である。
【符号の説明】
【００４０】
１Ａ、１Ｂ、１Ｃ、１Ｄ  よだれかけ（マスコット）
２  タオル地
３  エリア
４−１、４−２・・・〜４−１７  部品
５  目部
６  ほっぺ部
７  鼻部
８、９、１０  花柄
１１  ゴム紐
１２  ヒゲ
１３、１７  鈴
１４  音符記号
１５  顔の部品
１６  小鳥の図柄
【図１】
0003114953.tif 000003
【図２】
0003114953.tif 000004
【図３】
0003114953.tif 000005
【図４】
0003114953.tif 000006
【図５】
0003114953.tif 000007
【図６】
0003114953.tif 000008
【図７】
0003114953.tif 000009
【図８】
0003114953.tif 000010
【図９】
0003114953.tif 000011
【図１０】
0003114953.tif 000012